(57)【特許請求の範囲】
【請求項１】
インターネットプロトコル上において実行されるメッセージサービスである第１メッセージサービスと、前記インターネットプロトコル以外のプロトコルに従って実行されるメッセージサービスである第２メッセージサービスとを、無線アクセスネットワークを介して利用可能である移動局であって、
前記無線アクセスネットワークを介した通信によって、前記第１メッセージサービスが利用できない状態にあることを判定する状態判定部と、
前記状態判定部によって前記第１メッセージサービスが利用できない状態にあると判定された場合、前記第１メッセージサービスを前記第２メッセージサービスよりも優先的に利用するように設定されている場合でも、前記第２メッセージサービスを利用して前記メッセージサービスを実行するサービス実行部と
を備え、
前記サービス実行部は、前記第１メッセージサービスを利用するため、インターネットプロトコル上で動作するセッション開始プロトコルに従った発信を、前記無線アクセスネットワークを介して要求し、
前記状態判定部は、インターネットプロトコル上で動作するセッション開始プロトコルによって設定される論理的通信路であって、前記発信の要求に用いられるベアラが前記発信に際して存在しないことを検出した場合、前記第１メッセージサービスが利用できない状態にあることを判定する移動局。
【請求項２】
前記状態判定部は、前記無線アクセスネットワークを介して、インターネットプロトコルに従ったIPマルチメディアサブシステムによる音声通話サービスがサポートされていないことを示す非サポート情報を受信した場合、前記第１メッセージサービスが利用できない状態にあることを判定する請求項１に記載の移動局。
【請求項３】
前記サービス実行部は、前記第１メッセージサービスを利用するため、インターネットプロトコル上で動作するセッション開始プロトコルによって設定される論理的通信路であるベアラの設定を、前記無線アクセスネットワークを介して要求し、
前記状態判定部は、インターネットプロトコルに従ったIPマルチメディアサブシステムが利用できないために前記ベアラの設定が拒絶された場合、前記第１メッセージサービスが利用できない状態にあることを判定する請求項１に記載の移動局。
【請求項４】
前記サービス実行部は、前記第１メッセージサービスを利用するため、インターネットプロトコル上で動作するセッション開始プロトコルに従った発信を、前記無線アクセスネットワークを介して要求し、
前記状態判定部は、前記第１メッセージサービスが利用できないために前記発信が拒絶された場合、前記第１メッセージサービスが利用できない状態にあることを判定する請求項１に記載の移動局。
【請求項５】
前記インターネットプロトコル上において実行されるメッセージサービスである第１メッセージサービスと、前記インターネットプロトコル以外のプロトコルに従って実行されるメッセージサービスである第２メッセージサービスとは、テキストコミュニケーションまたはテキストベースの付加サービス制御である請求項１に記載の移動局。
【請求項６】
前記サービス実行部は、前記ベアラが存在しないことが前記状態判定部によって判定された場合、前記第１メッセージサービスではなく自動的に前記第２メッセージサービスに切り替える請求項１に記載の移動局。
【請求項７】
前記メッセージサービスは、Unstructured Supplementary Service Data (USSD)である請求項１に記載の移動局。
【請求項８】
前記メッセージサービスは、Short Message Service (SMS)である請求項１に記載の移動局。
【発明の詳細な説明】
【技術分野】
【０００１】
本発明は、インターネットプロトコル上において実行される非音声（ビデオ電話も含む）系サービスを提供する移動局及び情報提供サーバに関する。
【背景技術】
【０００２】
移動通信網で提供される非音声系サービスとして、制御信号を利用して2G（GERAN）/3G（UTRAN）のコアネットワークを経由してサーバからサービス提供を受ける「非音声系サービス over NAS」と、IPベースのIMSを経由してサーバからサービス提供を受ける「非音声系サービス over IP」がある。図１１は、非音声系サービスを提供するネットワークの概略構成図を示す。非音声系サービスのうち、特にメッセージサービスでは、主にGSM（登録商標）で提供されるUSSD（Unstructured Supplementary Service Data）や、3rd Generation Partnership Project（3GPP）において規定されるショートメッセージサービス（SMS）などがある。
【０００３】
USSDによるメッセージサービス及びショートメッセージサービス（SMS）も、端末（移動局など）間のテキストコミュニケーションとして利用される。さらに、USSDは、テキストチャットを行うためのアプリケーションプログラムでの利用や、テキストベースの付加サービス設定制御にも用いられる。USSDは、大別すると「USSD over IP」と「USSD over NAS」の２種類がある。図１２は、このようなUSSDの概略構成例を示す。
【０００４】
3GPPで提供されるSMSには、大別すると「SMS over IP」と「SMS over NAS」との2種類がある。図１は、このようなSMSの概略構成例を示す。
【０００５】
図１に示すように、「SMS over NAS」は、2G（GERAN）/3G（UTRAN）及びLTE（E-UTRAN）において利用可能であり、SMS over SGs、SMS over CS及びSMS over PSの3種類を含む。また、「SMS over IP」は、LTE（E-UTRAN）のみにおいて利用可能である。
【０００６】
また、3GPPでは、SMS over IPを優先的に利用するか、SMS over IPを利用しない、つまり、SMS over NASを利用するかを、予め移動局に設定できることが規定されている（例えば、非特許文献１）。
【先行技術文献】
【非特許文献】
【０００７】
【非特許文献１】3GPP TS 23.221 V11.0.0 3rd Generation Partnership Project; Technical Specification Group Services and System Aspects;Architectural requirements (Release 11)、2011年12月
【発明の概要】
【発明が解決しようとする課題】
【０００８】
しかしながら、上述した従来の3GPPにおける規定内容には、次のような問題があった。すなわち、上述したSMS over IPを優先的に利用するか否かは、無線アクセス技術（RAT）に関係なく、一つの共通の設定しかできない問題があった。
【０００９】
具体的には、無線アクセスネットワークの機能によっては、2G/3Gではセッション開始プロトコル（SIP）を利用したベアラを提供できないため、SMS over IPを利用できない場合があり得る。このような環境において、移動局がSMS over IPを優先的に利用するように設定されている場合、移動局の接続先がLTEから2G/3Gに切り替えられると、SMSが提供できなくなる問題があった。
【００１０】
さらに、仮に無線アクセス技術（RAT）毎に利用するSMSが規定できたとしても、移動局は、当該切り替え後においてもタイマが満了するまでIMSへのRegistration状態を維持しているため、当該タイマが満了してIMSへのRegistration状態が解消されるまで、SMS over SGs（図１参照）によってもSMSを提供することができず、SMSが提供できない時間が長期化する問題もあった。これらの問題は、USSDにおいても同様に課題となっていた。
【００１１】
そこで、本発明は、このような状況に鑑みてなされたものであり、無線アクセス技術が異なるエリア間を遷移した場合でも、非音声系サービス、特にメッセージサービス（付加サービス設定制御に適用するケースも含む）を継続して提供し得る移動局及び情報提供サーバの提供を目的とする。
【課題を解決するための手段】
【００１２】
本発明の第１の特徴は、インターネットプロトコル上において実行されるメッセージサービスである第１メッセージサービス（SMS over IP/USSD over IP）と、前記インターネットプロトコル以外のプロトコルに従って実行されるメッセージサービスである第２メッセージサービス（SMS over NAS/USSD over NAS）とを、無線アクセスネットワーク（3G/LTE）を介して利用可能であり、前記第１メッセージサービスを前記第２メッセージサービスよりも優先的に利用するように設定された移動局（UE100）であって、前記無線アクセスネットワークを介した通信によって、前記第１メッセージサービスが利用できない状態にあることを判定する状態判定部（状態判定部101）と、前記状態判定部によって前記第１メッセージサービスが利用できない状態にあると判定された場合、前記第１メッセージサービスを前記第２メッセージサービスよりも優先的に利用するように設定されている場合でも、前記第２メッセージサービスを利用して前記ショートメッセージサービスを実行するサービス実行部（サービス実行部115）とを備えることを要旨とする。
【００１３】
本発明の第２の特徴は、インターネットプロトコル上において実行されるメッセージサービスである第１メッセージサービスと、前記インターネットプロトコル以外のプロトコルに従って実行されるメッセージサービスである第２メッセージサービスとを、通信方式が異なる複数の無線アクセスネットワークを介して利用可能な移動局であって、前記無線アクセスネットワークのそれぞれと、前記第１メッセージサービスまたは前記第２メッセージサービスとが対応付けられた設定情報を保持する情報保持部（情報保持部111）と、前記情報保持部に保持されている前記設定情報に基づいて、接続している無線アクセスネットワークと対応付けられている前記第１メッセージサービスまたは前記第２メッセージサービスの何れかを利用して、メッセージサービスを実行するサービス実行部（サービス実行部115）とを備えることを要旨とする。
【００１４】
本発明の第３の特徴は、インターネットプロトコル上において実行されるメッセージサービスである第１メッセージサービスと、前記インターネットプロトコル以外のプロトコルに従って実行されるメッセージサービスである第２メッセージサービスとを、通信方式が異なる複数の無線アクセスネットワークを介して利用可能な移動局に対して情報を提供する情報提供サーバ（情報提供サーバ400）であって、前記無線アクセスネットワークのそれぞれと、前記第１メッセージサービスまたは前記第２メッセージサービスとが対応付けられた設定情報を前記移動局に送信する情報提供部（情報提供部403）を備えることを要旨とする。
【発明の効果】
【００１５】
本発明の特徴によれば、無線アクセス技術が異なるエリア間を遷移した場合でも、非音声系サービス、特にメッセージサービスを継続して提供し得る移動局及び情報提供サーバを提供することができる。
【図面の簡単な説明】
【００１６】
【図１】従来のショートメッセージサービス（SMS）の概略構成例を示す図である。
【図２】本発明の実施形態に係る移動通信システム10の全体概略構成図である。
【図３】本発明の第１実施形態に係るUE100の機能ブロック構成図である。
【図４】本発明の第１実施形態に係るUE100によるショートメッセージサービスの実行動作例（動作例１）を示す図である。
【図５】本発明の第１実施形態に係るUE100によるショートメッセージサービスの実行動作例（動作例２）を示す図である。
【図６】本発明の第１実施形態に係るUE100によるショートメッセージサービスの実行動作例（動作例３）を示す図である。
【図７】本発明の第１実施形態に係るUE100によるショートメッセージサービスの実行動作例（動作例４）を示す図である。
【図８】本発明の第２実施形態に係る情報提供サーバ400の機能ブロック構成図である。
【図９】本発明の第２実施形態に係るUE100の機能ブロック構成図である。
【図１０】本発明の第２実施形態に係るUE100及び情報提供サーバ400によるショートメッセージサービスの実行動作例を示す図である。
【図１１】従来の非音声系サービスの概略構成図例を示す図である。
【図１２】従来のUSSDの概略構成例を示す図である。
【発明を実施するための形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
［第１実施形態］
（１）移動通信システムの全体概略構成
図１は、本実施形態に係る移動通信システム10の全体概略構成図である。図１に示すように、移動通信システム10は、移動局100（以下、UE100）、Mobility Management Entity 200（以下、MME200）、Serving GPRS Support Node（以下、SGSN210）、及びIP Multimedia core network Subsystem 300（IMS300）を含む。また、移動通信システム10には、複数の無線アクセスネットワーク、具体的には、3G（U-TRAN）及びLTE（E-UTRAN）と、Serving Gateway（SGW）とが含まれる。なお、図１では、本発明に関連する装置やネットワークのみが図示されており、移動通信システム10には、他の装置（例えば、Packet Data Network Gateway（PGW）やPolicy and Charging Rules Function（PCRF）など）も含まれる。
【００２０】
UE100は、Long Term Evolution（LTE）及び3G（W-CDMA）方式の従った無線通信を実行することができる。特に、本実施形態では、UE100は、複数のショートメッセージサービス（SMS）、具体的には、SMS over IPとSMS over NASとを、当該無線アクセスネットワークを介して利用可能である。
【００２１】
SMS over IPは、インターネットプロトコル上において実行されるショートメッセージサービス（第１メッセージサービス）である。また、SMS over NASは、インターネットプロトコル以外のプロトコルに従って実行されるショートメッセージサービス（第２メッセージサービス）である。また、本実施形態では、UE100は、SMS over IPをSMS over NASよりも優先的に利用するように設定されている。
【００２２】
MME200は、eNodeB（無線基地局）を収容し、モビリティ制御やベアラ制御機能などを提供する交換機である。SGSN210は、3G（UTRAN）アクセスシステムを収容するパケット交換機である。
【００２３】
IMS300は、インターネットプロトコルに従ったマルチメディアサブシステムであり、Proxy-Call Session Control Function（P-CSCF）、Interrogating -Call Session Control Function（I-CSCF）、Serving-Call Session Control Function（S-CSCF）及びApplication Server（AS）など（不図示）を含む。
【００２４】
（２）移動局の機能ブロック構成
図３は、UE100の機能ブロック構成図である。図３に示すように、UE100は、状態判定部101及びサービス実行部103を備える。
【００２５】
状態判定部101は、無線アクセスネットワークを介した通信によって、SMS over IPが利用できない状態にあることを判定する。具体的には、状態判定部101は、無線アクセスネットワークを介して、IMS300による音声通話サービスがサポートされていないことを示す非サポート情報、具体的には、IMS Voice over PS = not supportedを受信した場合、SMS over IPが利用できない状態にあることを判定する。
【００２６】
状態判定部101は、IMS300が利用できないためにSIPベアラの設定が拒絶された場合、SMS over IPが利用できない状態にあることを判定してもよい。さらに、状態判定部101は、SMS over IPが利用できないためにSIPベアラの発信が拒絶された場合、SMS over IPが利用できない状態にあることを判定することもできる。
【００２７】
また、状態判定部101は、SIPによって設定される論理的通信路であって、発信の要求に用いられるSIPベアラが存在しない場合、SMS over IPが利用できない状態にあることを判定することもできる。
【００２８】
サービス実行部103は、状態判定部101によってSMS over IPが利用できない状態にあると判定された場合、SMS over IPをSMS over NASよりも優先的に利用するように設定されている場合でも、SMS over NASを利用してショートメッセージサービスを実行する。
【００２９】
具体的には、サービス実行部103は、SMS over IPを利用するため、SIPによって設定される論理的通信路であるSIPベアラの設定を、無線アクセスネットワークを介して要求する。また、サービス実行部103は、SMS over IPを利用するため、インターネットプロトコル上で動作するSIPに従ったSIPベアラの発信を、無線アクセスネットワークを介して要求することもできる。
【００３０】
（３）移動局の動作
次に、上述した移動局（UE100）の動作について説明する。具体的には、UE100によるショートメッセージサービスの実行動作について説明する。図４〜図７は、UE100によるショートメッセージサービスの実行動作例を示す。
【００３１】
（３．１）動作例１
図４（ａ）は、UE100が3Gに在圏している場合における動作を示し、図４（ｂ）は、UE100がLTEに在圏している場合における動作に示す。図４（ａ）及び（ｂ）に示すように、UE100がSMS over IPを優先する設定になっていた場合において、3G/LTEでのAttachまたは位置登録時において、SGSN210またはMME200から「IMS Voice over PS = not supported」を通知された場合、UE100は、SMS over IPではなくSMS over NASを利用する。
【００３２】
一方、3G/LTEでのAttachまたは位置登録時に、SGSN210またはMME200から「IMS Voice over PS = supported」を通知された場合、UE100は、SMS over IPを利用する。
【００３３】
（３．２）動作例２
図５（ａ）は、UE100が3Gに在圏している場合における動作を示し、図５（ｂ）は、UE100がLTEに在圏している場合における動作に示す。図５（ａ）及び（ｂ）に示すように、UE100がSMS over IPを優先する設定になっていた場合において、その後UE100がSMS over IPを利用するために、SIPベアラの発信を実行し、当該発信要求が「IMS利用できない」ことを意味するCause valueでRejectされた場合、UE100は、SMS over IPではなくSMS over NASを利用する。
【００３４】
なお、Causeは、#32（Service option not supported）などであってもよいし、その他、IMS300が利用できないことを意味するものであってもよい。
【００３５】
（３．３）動作例３
図６に示すように、UE100がSMS over IPを優先する設定になっていた場合において、UE100がSMS over IPを利用したSMSの発信（SIP MESSAGE手順）を実行し、かつ当該発信が特定のSMS over IPが利用できないことを示すcauseでrejectされた場合、UE100は、SMS over IPではなくSMS over NASを利用する。RejectされるResponseの例としては、ステータスコードの数値が503（Service Unavailable）、603（Decline）、或いは恒久的にサービスが利用できないことを示すものが挙げられる。
【００３６】
（３．４）動作例４
図７に示すように、UE100がSMS over IPを優先する設定になっていた場合において、UE100がSMS over IPを利用したSMSの発信（SIP MESSAGE手順）を実行しようとするがSIPベアラが存在しない場合、UE100は、SMS over IPではなく自動的にSMS over NASに切り替える。
【００３７】
［第２実施形態］
次に、本発明の第２実施形態について説明する。以下、上述した第１実施形態と異なる部分について主に説明する。本実施形態では、情報提供サーバ400（図２参照）を用いて、ショートメッセージサービスに関する設定情報がUE100に送信される。
【００３８】
情報提供サーバ400は、UE100に対して各種情報を提供する。特に、本実施形態では、情報提供サーバ400は、無線アクセスネットワークのそれぞれと、SMS over IPまたはSMS over NASとが対応付けられた設定情報をUE100に送信する。
【００３９】
（１）移動局及び情報提供サーバの機能ブロック構成
図８は、情報提供サーバ400の機能ブロック構成図である。また、図９は、本実施形態に係る移動局（UE100）の機能ブロック構成図である。
【００４０】
図８に示すように、情報提供サーバ400は、設定部401及び情報提供部403を備える。
【００４１】
設定部401は、無線アクセスネットワークのそれぞれと、SMS over IPまたはSMS over NASとが対応付けられた設定情報を生成する。
【００４２】
情報提供部403は、設定部401によって生成された当該設定情報をUE100に送信する。情報提供部403は、当該設定情報を予めUE100に通知しておくことが好ましい。当該設定情報の通知手段としては、例えば、OMA DMなどの手段を用いることができる。
【００４３】
図９に示すように、本実施形態に係るUE100は、情報保持部111、情報取得部113及びサービス実行部115を備える。
【００４４】
情報保持部111は、情報提供サーバ400から送信された設定情報を保持する。具体的には、情報保持部111は、情報取得部113によって取得された設定情報を保持する。つまり、情報保持部111は、無線アクセスネットワークのそれぞれと、SMS over IPまたはSMS over NASとが対応付けられた設定情報を保持する。
【００４５】
或いは、情報保持部111は、UE100の製造時などに入力された当該設定情報を保持してもよい。
【００４６】
情報取得部113は、無線アクセスネットワークの何れか、または他の通信ネットワーク（例えば、無線LAN）を介して、情報提供サーバ400から設定情報を取得する。
【００４７】
サービス実行部115は、情報保持部111に保持されている設定情報に基づいて、UE100が接続している無線アクセスネットワークと対応付けられているSMS over IPまたはSMS over NASの何れかを利用して、ショートメッセージサービスを実行する。
【００４８】
（２）移動局及び情報提供サーバの動作
図１０は、本実施形態に係るUE100と情報提供サーバ400とによるによるショートメッセージサービスの実行動作例を示す。
【００４９】
図１０に示すように、情報提供サーバ400は、無線アクセスネットワークのそれぞれ（3G及びLTE）と、SMS over IPまたはSMS over NASとが対応付けられた設定情報をUE100に送信する。例えば、3GとSMS over NASとが対応付けられ、LTEとSMS over IPとが対応付けられる。つまり、UE100が利用するSMS方式が、3G、LTEごとに設定される。
【００５０】
UE100は、受信した設定情報を参照し、在圏する無線アクセスネットワーク（RAT）に応じて、利用するSMS方式（SMS over IPまたはSMS over NAS）を選択する。
【００５１】
［作用・効果］
上述した第１実施形態に係る移動通信システム10によれば、UE100（状態判定部101）によってSMS over IPが利用できない状態にあると判定された場合、SMS over IPをSMS over NASよりも優先的に利用するように設定されている場合でも、SMS over NASを利用してショートメッセージサービスを実行できる。
【００５２】
また、上述した第２実施形態に係る移動通信システム10によれば、無線アクセスネットワークのそれぞれと、SMS over IPまたはSMS over NASとが対応付けられた設定情報がUE100に送信される。
【００５３】
このため、無線アクセス技術が異なるエリア間をUE100が遷移（ハンドオーバなど）した場合でも、従来のように長時間に亘ってショートメッセージサービスが利用できない状態となることが回避され、ショートメッセージサービスを継続して提供し得る。
【００５４】
［その他の実施形態］
上述した実施形態では、メッセージサービスとして3GPPで規定されるショートメッセージサービスで説明したが、USSDでも大略同様である。すなわち、本発明をUSSD over IPとUSSD over NASが利用できるネットワークに適用する場合、USSD over IPまたはUSSD over NASを適切に利用し、かつメッセージサービス/付加サービス設定制御（USSD）を継続して利用可能となる。特に、USSDを適用した付加サービス設定制御はテキストベースの通信で行われ、前述のメッセージサービスと大略同様の動作であるため、前述のメッセージサービスを付加サービス設定制御と読み替えて差し支えない。なお、上述したように、本発明の実施形態を通じて本発明の内容を開示したが、この開示の一部をなす論述及び図面は、本発明を限定するものであると理解すべきではない。この開示から当業者には様々な代替実施の形態が明らかとなろう。
【００５５】
例えば、上述した本発明の実施形態では、3GとLTEとを例として説明したが、例えば、3Gに代えて2G（GERAN）を用いても構わない。
【００５６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００５７】
10…移動通信システム
100…UE
101…状態判定部
103…サービス実行部
111…情報保持部
113…情報取得部
115…サービス実行部
200…MME
210…SGSN
300…IMS
400…情報提供サーバ
401…設定部
403…情報提供部
【図１】
0005487239.tif 000002
【図２】
0005487239.tif 000003
【図３】
0005487239.tif 000004
【図４】
0005487239.tif 000005
【図５】
0005487239.tif 000006
【図６】
0005487239.tif 000007
【図７】
0005487239.tif 000008
【図８】
0005487239.tif 000009
【図９】
0005487239.tif 000010
【図１０】
0005487239.tif 000011
【図１１】
0005487239.tif 000012
【図１２】
0005487239.tif 000013